(57)【要約】【課題】  予約録画確認に関するユーザーの利便性の向上【解決手段】  予約記録設定された予約項目に応じて指定された記録部において記録（録画）が実行される場合、そのデータ記録の実行状況が履歴項目とされて実行履歴情報に登録され、実行履歴情報として登録された履歴項目が表示部に一覧表示される。ユーザーは、履歴項目の一覧表示を確認することで、予約録画が正常に実行されたか否かを確認できるようにする。又は頭欠けや後欠け等の録画実行状況、録画失敗時の原因などの詳細情報も合わせて表示する。さらに複数の記録部において選択的に記録を実行させることのできる機器であることから、履歴項目には記録を実行させた機器をユーザーが認識できるような情報（記録部を示す情報）を表示させる。【選択図】      図６
2005117448.tif 000002
【特許請求の範囲】
【請求項１】
それぞれが記録媒体に対してデータ記録を実行できる記録部としての複数の記録部に対して、受信された放送コンテンツの信号を供給するとともに該信号の記録動作を実行させることのできる記録制御装置として、
放送コンテンツを受信する受信手段と、
記録動作を実行させる記録部を指定しての放送コンテンツの予約記録設定を行う設定手段と、
上記予約記録設定された予約項目に応じて放送コンテンツの受信及び指定された記録部への放送コンテンツの信号の供給を実行し、該指定された記録部に対して放送コンテンツの信号の記録を実行制御する記録制御手段と、
上記記録制御手段の制御による記録動作の実行状況に応じた履歴項目を生成し、実行履歴情報として登録する実行履歴登録手段と、
上記実行履歴情報として登録された履歴項目を表示部に一覧表示させる表示制御手段と、
を備えたことを特徴とする記録制御装置。
【請求項２】
上記実行履歴登録手段は、上記記録制御手段の制御により或る記録部で実行される動作結果の詳細情報を、上記履歴項目に含めて上記実行履歴情報に登録するとともに、
上記表示制御手段は、上記履歴項目の一覧表示に対する選択操作に応じて上記詳細情報の表示を実行させることを特徴とする請求項１に記載の記録制御装置。
【請求項３】
上記実行履歴登録手段は、上記記録制御手段によるデータ記録の実行制御の対象となった記録部を示す情報を含む履歴項目を、実行履歴情報として登録するとともに、
上記表示制御手段は、上記記録部を示す情報を含む履歴項目の表示を実行させることを特徴とする請求項１に記載の記録制御装置。
【請求項４】
上記実行履歴情報として登録された履歴項目に対する編集を行う履歴項目処理手段を、さらに備えたことを特徴とする請求項１に記載の記録制御装置。
【請求項５】
上記編集は、上記実行履歴情報として登録された全部又は一部の履歴項目の削除であることを特徴とする請求項４に記載の記録制御装置。
【請求項６】
上記実行履歴情報として登録された履歴項目に基づいて、上記記録部の動作制御を行う動作制御手段を、さらに備えたことを特徴とする請求項１に記載の記録制御装置。
【請求項７】
記録動作を実行させる記録部を指定しての放送コンテンツの予約記録設定を行う予約設定ステップと、
上記予約記録設定された予約項目に応じて放送コンテンツの受信及び指定された記録部への放送コンテンツの信号の供給を実行し、該指定された記録部に対して放送コンテンツの信号の記録を実行制御する記録制御ステップと、
上記記録制御ステップでの実行制御による記録動作の実行状況に応じた履歴項目を生成し、実行履歴情報として登録する実行履歴登録ステップと、
上記実行履歴情報として登録された履歴項目を表示部に一覧表示する表示ステップと、
を備えたことを特徴とする表示方法。
【請求項８】
上記実行履歴登録ステップでは、上記記録制御ステップでの制御により或る記録部で実行される動作結果の詳細情報を、上記履歴項目に含めて上記実行履歴情報に登録するとともに、
上記表示ステップでは、上記履歴項目の一覧表示に対する選択操作に応じて上記詳細情報の表示を実行することを特徴とする請求項７に記載の表示方法。
【請求項９】
上記実行履歴登録ステップでは、上記記録制御ステップによるデータ記録の実行制御の対象となった記録部を示す情報を含む履歴項目を、実行履歴情報として登録するとともに、
上記表示ステップでは、上記記録部を示す情報を含む履歴項目の表示を実行することを特徴とする請求項７に記載の表示方法。
【発明の詳細な説明】
【技術分野】
【０００１】
本発明は、複数の記録部（録画装置等）に対して放送コンテンツを記録（録画）させることのできる記録制御装置、及び記録動作の実行履歴の表示方法に関するものである。
【背景技術】
【０００２】
近年、テレビジョン放送等の放送コンテンツを記録（録画）する機器（録画装置）が各種多様に実用化されている。
放送コンテンツデータを記録する記録媒体としては従来一般的であった磁気テープに加えて、ＨＤＤ（Hard Disc Drive）、ＤＶＤ（Digital Versatile Disc）、或いはメモリカード等の各種記録媒体が用いられ、これらに対応する各種のビデオレコーダとして、放送コンテンツ（番組等）を記録する記録装置が開発されている。
【０００３】
一般に録画機器では、録画予約機能を備えており、ユーザーは任意の番組を予約録画として登録することで自動的に登録された番組の録画が行われる。また近年の録画機器ではユーザーの視聴番組の履歴やユーザーのジャンル登録などに応じてユーザーの嗜好を判断し、該当する番組を自動的に録画予約して録画を実行する機能もある。
さらに近年の放送システムでは、放送信号にＥＰＧ（Electronic Program Guide：電子番組ガイド）データを重畳したり、或いはＥＰＧデータをネットワークを介してダウンロードさせるなどの手法で、録画機器がＥＰＧデータを取得できるようにしている。録画機器ではＥＰＧデータに基づいてユーザーに対して番組ガイド表示を行ったり、その番組ガイド表示上から簡易な操作で録画予約が実行できるようにしている。
これら録画機器に関する技術、特に録画予約に関する技術としては、例えば下記特許文献１，２に記載のものが知られている。
【特許文献１】特開２００２−９４８９３号公報
【特許文献２】特開平１１−２３２７２６号公報
【発明の開示】
【発明が解決しようとする課題】
【０００４】
録画機器における録画予約機能を考えた場合、ユーザーは、予約録画として登録された内容（予約録画設定された番組や時刻）を知ることができると便利であり、またユーザーが予約登録内容の確認のためにも必要である。このため予約登録された項目をリスト的に表示することが行われている。リスト表示される各項目（以下、予約項目という）としては、それぞれチャンネル、番組名、時間帯等の情報などが示される。ユーザは各予約項目により、予約登録されている番組等を知ることができる。
ところが、このような表示はあくまでも予約段階の内容を各予約項目として示すものであり、予約登録に基づく録画が実行された後の情報を一覧表示するものではない。
そして近年では、以下のような課題が提起されている。
【０００５】
まず、録画予約が正常に実行されたか否かを容易に確認できるようにしたいという要望がある。録画予約が正常に実行されたか否かは、通常は、録画された記録媒体を再生してみて、正しく録画されているか否かを確かめなければならない。
また、予約された録画の実行／不実行だけでなく、いわゆる頭欠け（番組先頭部分が録画できなかった状態）や後欠け（番組後半等が録画できなかった状態）等がないか否かも確認したい。この場合も、再生してみなければ確認できない。
録画が行われたメディアを実際に再生させて正常に録画されているか否かを確認することは、ユーザーにとって煩雑になる場合が多い。特に多数の番組を録画予約するユーザーにとっては、そのような確認作業の手間は大きい。
また磁気テープやディスク等の可搬性メディアに録画した場合、装填されているメディアが入れ換えられており、どのメディアに録画したかがわからず、その場合、メディアを選んで再生させて録画されているか否かを確認するという作業が、更に面倒となることはいうまでもない。
さらに近年では、録画機器としては機器内部に複数の記録部を搭載したり、或いは外部の録画機器を接続することで、受信した放送コンテンツを、複数の記録部（内部の記録部又は外部録画機器）のうちの１つを選択して録画させる装置もある。そのような場合、ユーザーは、或る番組をどのメディアに録画したかを失念していることも多く、この場合も再生させて確認するという手間は大きい。
【０００６】
また予約録画にかかる録画が正常に実行できなかった場合にエラーメッセージ表示する機器もあるが、一時的に表示されるメッセージではユーザーが確認しない場合が多い。また録画機器がエラーメッセージ等の各種メッセージを保存していたとしても、今度はユーザーが特定の番組の録画予約に関するメッセージを探すことに手間取ってしまう。
【０００７】
このようなことから、例えば多量の予約録画が実行される状況であっても、ユーザーが各録画予約の実行状況を容易に確認できるようにすることが求められる。さらには予約のキャンセル、失敗、頭欠け、後欠け等のことも含めて容易に確認できるようにもしたい。
また各種のメディアに選択的に録画を実行させることのできる機器の場合、録画予約にかかる録画動作を実行した記録部（内部の記録部又は外部録画機器）をユーザーが確認できるようにすることも求められる。
【課題を解決するための手段】
【０００８】
そこで本発明は、録画予約にかかる録画の実行状況をユーザーが容易に確認できるようにし、ユーザーの使用性を向上させることを目的とする。
【０００９】
本発明の記録制御装置は、それぞれが記録媒体に対してデータ記録を実行できる記録部としての複数の記録部に対して、受信された放送コンテンツの信号を供給するとともに該信号の記録動作を実行させることのできる記録制御装置である。そして、放送コンテンツを受信する受信手段と、記録動作を実行させる記録部を指定しての放送コンテンツの予約記録設定を行う設定手段と、上記予約記録設定された予約項目に応じて放送コンテンツの受信及び指定された記録部への放送コンテンツの信号の供給を実行し、該指定された記録部に対して放送コンテンツの信号の記録を実行制御する記録制御手段と、上記記録制御手段の制御による記録動作の実行状況に応じた履歴項目を生成し、実行履歴情報として登録する実行履歴登録手段と、上記実行履歴情報として登録された履歴項目を表示部に一覧表示させる表示制御手段とを備える。
また上記実行履歴登録手段は、上記記録制御手段の制御により或る記録部で実行される動作結果の詳細情報を、上記履歴項目に含めて上記実行履歴情報に登録するとともに、上記表示制御手段は、上記履歴項目の一覧表示に対する選択操作に応じて上記詳細情報の表示を実行させる。
また上記実行履歴登録手段は、上記記録制御手段によるデータ記録の実行制御の対象となった記録部を示す情報を含む履歴項目を、実行履歴情報として登録するとともに、上記表示制御手段は、上記記録部を示す情報を含む履歴項目の表示を実行させる。
【００１０】
また上記実行履歴情報として登録された履歴項目に対する編集を行う履歴項目処理手段を、さらに備える。例えば上記編集は、上記実行履歴情報として登録された全部又は一部の履歴項目の削除であるとする。
また上記実行履歴情報として登録された履歴項目に基づいて、上記記録部の動作制御を行う動作制御手段を、さらに備える。
【００１１】
本発明の表示方法は、記録動作を実行させる記録部を指定しての放送コンテンツの予約記録設定を行う予約設定ステップと、上記予約記録設定された予約項目に応じて放送コンテンツの受信及び指定された記録部への放送コンテンツの信号の供給を実行し、該指定された記録部に対して放送コンテンツの信号の記録を実行制御する記録制御ステップと、上記記録制御ステップでの実行制御による記録動作の実行状況に応じた履歴項目を生成し、実行履歴情報として登録する実行履歴登録ステップと、上記実行履歴情報として登録された履歴項目を表示部に一覧表示する表示ステップとを備える。
また上記実行履歴登録ステップでは、上記記録制御ステップでの制御により或る記録部で実行される動作結果の詳細情報を、上記履歴項目に含めて上記実行履歴情報に登録するとともに、上記表示ステップでは、上記履歴項目の一覧表示に対する選択操作に応じて上記詳細情報の表示を実行する。
また上記実行履歴登録ステップでは、上記記録制御ステップによるデータ記録の実行制御の対象となった記録部を示す情報を含む履歴項目を、実行履歴情報として登録するとともに、上記表示ステップでは、上記記録部を示す情報を含む履歴項目の表示を実行する。
【００１２】
このような本発明によれば、予約記録設定された予約項目に応じて指定された記録部において記録（録画）が実行される場合、そのデータ記録の実行状況が履歴項目とされて実行履歴情報に登録される。そして実行履歴情報として登録された履歴項目が表示部に一覧表示される。さらに実行された録画状況が履歴項目として一覧表示されることで、その一覧表示を利用した新たな制御態様を実現できる。例えば履歴項目自体の編集や、履歴項目に基づいて記録部での再生等の動作制御を行うことが可能となる。
【発明の効果】
【００１３】
本発明によれば、予約記録設定された予約項目に応じて指定された記録部において記録（録画）が実行される場合、その記録の実行状況が履歴項目とされて実行履歴情報に登録され、実行履歴情報として登録された履歴項目が表示部に一覧表示される。このためユーザーは、履歴項目の一覧表示を確認することで、予約録画が正常に実行されたか否かを確認できる。又は頭欠けや後欠け等の状況も含んで表示すれば、それらの状況も確認できる。そしてそれらの確認のために実際に録画された番組等を再生するなどの手間はなくなり、ユーザーにとって快適な使用性を実現できる。
また詳細情報としてより多様かつ詳しい実行状況を表示することも可能である。また詳細情報は履歴項目を選択することで表示されるようにすれば、履歴項目の一覧表示が煩雑になることもない。
また複数の記録部において選択的に記録を実行させることのできる機器であることから、履歴項目には記録を実行させた機器をユーザーが認識できるような情報（記録部を示す情報）を表示させることで、よりユーザーにとって便利な表示内容となる。
【００１４】
また履歴項目を一覧表示させることで、その一覧表示を利用した新たな制御態様を実現できる。まず一覧表示させる履歴項目については編集を可能とすることで、ユーザーにとって見やすい状態にカスタマイズできる。例えば履歴項目の全部又は一部の削除などの編集を可能とする。履歴項目は録画予約の実行に応じて生成されるため、時間がたつにつれ項目数が増大していくが、既に不要となった履歴項目などは削除できることが好適である。
また、履歴項目に基づいて記録部の動作制御を行うこと、例えば履歴項目を指定して再生を実行させること等を可能とすれば、ユーザーの録画データに対する操作性を向上させることができる。
【発明を実施するための最良の形態】
【００１５】
以下、本発明の実施の形態として、テレビジョン放送番組を録画することのできる放送受信機を例に挙げ、次の順序で説明する。
１．放送受信機の構成
２．予約設定時の録画機器指定
３．予約項目の実行時の処理
４．実行履歴の一覧表示
５．変形例
【００１６】
１．放送受信機の構成
図１は本発明の記録制御装置の実施の形態である放送受信機１のハードウェア構成例を示すブロック図である。
この放送受信機１は、例えばＢＳ，ＣＳ等のデジタル衛星放送受信機能を備えると共に、装置内部の録画部及び外部の録画機器に対して受信した放送コンテンツデータを供給し、また動作制御を行って録画処理を実行させることができる。なお、もちろんアナログ又はデジタルの地上波放送、アナログ衛星放送、或いはケーブルテレビジョン放送などについての受信機能を備えるようにしてもよい。
【００１７】
チューナ１１は、アンテナ２により受信された信号について選局、復調処理を行う。選局／復調された放送映像信号について、いわゆるスクランブル処理がされている場合は、デスクランブラ１２でスクランブル処理に対するデコードが行われ、ストリーム処理部１４に供給されることになる。
またチューナ１１では、放送信号に重畳されているＥＰＧデータの分離も行われる。分離抽出されたＥＰＧデータはＥＰＧ抽出／記憶部１３に取り込まれ、ＥＰＧデータが構築されて記憶される。
【００１８】
ストリーム処理部１４は、表示部２０に表示させる映像信号に関する処理を行う。ここでは特にストリーム処理部１４内に、表示させる映像信号の入力選択を行う切換部２６、表示用のイメージデータを発生するＯＳＤ２７、及び映像信号に対してＯＳＤデータを合成（又は切換）を行う合成部２８を示している。
例えば上記チューナ１１で受信された放送映像信号は、切換部２６で選択された後、合成部２８を介してＮＴＳＣエンコーダ１８に供給され、ＮＴＳＣ方式の映像信号に変換される。そして表示ドライブ部１９で輝度／色信号処理、表示駆動処理等が行われ、切換部２５を介して表示部２０に供給され、表示される。この際、ＯＳＤ２７によって放送映像に重畳して、或いは放送映像とは切り換えて表示させる各種のキャラクタ、アイコン等のイメージデータが発生された場合、それらのイメージデータが合成部２８を介して放送映像信号に重畳されることで、表示部２０にイメージデータの表示が行われることになる。
ＯＳＤ２７によって発生させるイメージデータは、例えば各種の操作メニュー画面、操作用のアイコン等のＧＵＩ画像、メッセージ、チャンネルや音量表示、予約登録のための画像、予約登録確認のための画像、さらには実行履歴に関する画像などである。ＯＳＤ２７は、ユーザー操作や動作状況に応じたコントローラ１０の制御に従って所定のイメージデータを発生する。
【００１９】
表示部２０は、ＣＲＴモニタ、液晶パネル、或いはプラズマディスプレイパネルなど、所定の表示デバイスによって構成される。この表示部２０は放送受信機１に内蔵されるものであっても良いし、別体の機器として、当該放送受信機１に接続される構成としても良い。なお説明は省略するが、音声出力のためのスピーカ部も搭載（又は接続）される。
【００２０】
リモコン受光部１６は、ユーザにより例えば赤外線出力のリモートコマンダー３が操作されると、その操作信号を受光し、電気信号による操作コマンド信号に変換してコントローラ１０に出力する。もちろんリモートコマンダー１４は赤外線方式のみでなく、例えば電波を用いたものでもよい。
このリモートコマンダー３およびリモコン受光部が、ユーザーが各種の操作入力を行う部位となる。例えば後述する録画予約に関する各種ユーザー操作はリモートコマンダー３を用いて行われる。また、リモートコマンダー３を用いた操作の際には、表示部２０を用いたＧＵＩとしてメニュー画面等が表示される。そのようなＧＵＩ表示のための映像信号は、上述のようにＯＳＤ２７によって発生される。
なお、もちろん放送受信機１の筐体上に各種操作キーを配した操作パネルが設けられても良い。
【００２１】
コントローラ１０はＣＰＵ（Central Processing Unit ）を備えたマイクロコンピュータにより形成され、放送受信機１の全体の制御を行う部位とされる。即ちチューナ１１での選局動作やデスクランブラ１２での処理、ストリーム処理部１４の動作等に制御を行うことで、放送信号の受信や表示を実行させる。さらには後述する記録再生のための制御も行う。
メモリ部１５は、コントローラ１０がアクセスするＲＯＭ、ＲＡＭ、不揮発性メモリなどを包括的に示している。
コントローラ１０は、リモコン受光部１６より操作信号（コマンド）が入力されると、メモリ部１５におけるＲＯＭに記憶されているプログラムに従って、各種の処理を実行する。
メモリ部１５におけるＲＯＭには、コントローラ１０（ＣＰＵ）を動作させるプラットフォームソフトウェアモジュール、および、起動モジュール等が記憶されている。
メモリ部１５におけるＲＡＭは、ＲＯＭに記憶されている起動モジュールやＯＳ等のプラットフォームソフトウェアプログラム、アプリケーションプログラム、または、その実行において適宜変化するパラメータを一時格納する。
メモリ部１５における不揮発性メモリは、例えば各種処理係数や、ユーザの認証情報、課金情報、嗜好情報等の記憶に用いられる。
【００２２】
上記チューナ１１で受信／復調され、デスクランブラ１２で処理された放送映像信号（ストリーム映像データ）は、インターフェース２１、記録再生エンコード／デコード部２２にも供給される。
また、ＮＴＳＣエンコーダ１８でＮＴＳＣ方式にエンコードされた映像信号は外部入出力部２４にも供給される。
【００２３】
インターフェース２１は、例えばＩＥＥＥ１３９４，或いはＵＳＢ等の規格のインターフェース処理部であり、伝送路８（無線伝送路も含む）を介して接続された機器とのデータ通信を行う。ここではＨＤＤレコーダのような録画機器５が接続されている例を示している。本例の放送受信機１は、例えばインターフェース２１によって録画機器５が接続された場合、その録画機器５に放送コンテンツデータを供給し、録画を実行させることができる。即ち受信復調されたストリーム映像データをインターフェース２１に供給して所定のパケッタイズ処理を行い、伝送路８で録画機器５に伝送する。またコントローラ１０はインターフェース２１を介して録画動作を指示するコマンドを録画機器５に送信する。これによって録画機器５では、伝送路８により供給されるストリーム映像データを、所定の記録媒体（例えばＨＤＤ）に録画していく動作が行われる。
またコントローラ１０がインターフェース２１を介して録画機器５に再生コマンドを送信することで、録画機器５において記録媒体からの映像データの再生を実行させることができる。録画機器５で映像データの再生が行われる場合、再生された映像データは伝送路８を介してインターフェース２１に取り込むことができ、その入力された映像データはストリーム処理部１４の選択部２６において選択可能とされる。従って、コントローラ１０が録画機器５及びストリーム処理部１４の動作を制御することで、表示部２０において録画機器５での再生映像を表示させることが可能となる。
【００２４】
外部入出力部２４は、ＲＦ信号、ライン映像信号などとして映像信号の入出力を行う部位として示している。受信復調されＮＴＳＣ方式にエンコードされた映像信号は、外部入出力部２４に供給され、外部入出力部で所要の処理が行われ、コンポジット映像信号、或いはＹ／Ｃ信号、或いはＲ／Ｇ／Ｂ信号などの信号形式で、端子２４ａから接続された外部の録画機器６に対して送信される。録画機器６では入力された映像信号を所定の記録媒体に録画できる。この際に本例では、コマンド送信器７を用いて録画機器６に録画動作を指示するコマンドを送信するようにしている。
例えば録画機器６は所定のリモートコマンダーからの赤外線コマンド信号を受信する受信部６ａを有し、そのコマンド信号に基づいて動作する機能を有するものとする。コマンド送信器７は一般にＡＶマウスとも呼ばれる装置であり、録画機器６に対して赤外線コマンドを送信し、所要の動作を実行させるものである。即ちコントローラ１０は録画機器６に対する所定のコマンドを、コマンド出力駆動部１７により発生させ、コマンド送信器６によって送信させることで、録画機器６の動作制御が可能となる。
従って本例の放送受信機１は、例えば外部入出力部２４によって録画機器６が接続された場合、その録画機器６に放送コンテンツ信号を供給し、録画を実行させることができる。即ち受信復調されたストリーム映像データを外部入出力部２４に供給して所定の信号処理を行い、録画機器６に伝送するとともに、コントローラ１０はコマンド送信器６によって録画動作を指示するコマンドを録画機器６に送信する。これによって録画機器６では、供給される映像信号を、所定の記録媒体に録画していく動作が行われる。
またコントローラ１０がコマンド送信器６によって録画機器６に再生コマンドを送信することで、録画機器６において記録媒体からの映像データの再生を実行させることができる。録画機器６で映像データの再生が行われる場合、再生された映像データは入力端子２４ｂで入力され、外部入出力部２４内で所要の信号処理が施されて切換部２５に供給される。従って、コントローラ１０が録画機器６及び切換部２５の動作を制御することで、表示部２０において録画機器６での再生映像を表示させることが可能となる。
【００２５】
また放送受信機１は、例えばフラッシュメモリを内蔵して成るメモリカード４に対して映像データの記録再生を行うことが可能とされる。
記録再生エンコード／デコード部２２は、メモリカード４に対する映像データの記録再生のためのエンコード／デコードを行う。例えばＭＰＥＧ（Moving Picture Experts Group ）方式の圧縮エンコード／デコード処理や、メモリカード４への所定の記録ファイルフォーマットに準拠したエンコード／デコードを行う。
メモリカード４に対する録画が行われる場合、受信復調されたストリーム映像データは、記録再生エンコード／デコード部２２でエンコード処理され、メモリカードアクセス部２３に供給される。メモリカードアクセス部２３は、そのカードスロットに装着されたメモリカード４に対して記録再生のためのアクセスを行う。記録再生エンコード／デコード部２２でエンコード処理された映像データが供給された場合は、メモリカードアクセス部２３が装着されたメモリカード４に対して映像データの記録アクセスを行う。
またメモリカード４からの再生が求められた場合、メモリカードアクセス部２３が装着されたメモリカード４に対して映像データの再生アクセスを行い、読み出された映像データを記録再生エンコード／デコード部２２に転送する。そして記録再生エンコード／デコード部２２でデコード処理が行われた映像データは、ストリーム処理部１４に供給される。この映像データはストリーム処理部１４の選択部２６において選択可能とされる。従って、コントローラ１０がメモリカード４からの再生動作及びストリーム処理部１４の動作を制御することで、表示部２０においてメモリカード４からの再生映像を表示させることが可能となる。
【００２６】
なお、このような図１の構成は一例にすぎない。例えば放送受信機１内にＨＤＤ、光ディスク、磁気テープ等を記録媒体として用いたストレージ部が設けられても良いし、外部機器としての録画機器との接続形態も多様に考えられる。またチューナ１１が複数搭載されても良い。
少なくとも本実施の形態となる放送受信機１としては、放送コンテンツの映像を複数の記録部に対して選択的に録画を指示できる装置であればよい。
【００２７】
そして本実施の形態の放送受信機１は、予約録画の実行履歴をユーザーに対して表示できることを特徴としている。この場合の実行履歴とは、予約録画として登録された録画動作についての、実際の録画実行時の状況を示す履歴のことである。
詳しい処理については後述するが、録画予約の予約設定及び実行履歴に関する処理のために、コントローラ１０は図２に示すような機能を備えることになる。例えば図２に示す機能ブロックはソフトウエアにより構築される。
【００２８】
予約設定機能６１は、ユーザーの操作に応じて予約録画の登録を行う機能である。例えばＥＰＧ抽出／記憶部１３に記憶されたＥＰＧデータに基づいて、ユーザーに対して予約登録のための画面表示を実行させる。ユーザーはＥＰＧデータに基づいて表示された放送番組予定一覧の中で所望の番組を選択し、録画予約を求める操作を行うことができる。
即ち予約設定機能６１は、録画予約のためのＧＵＩ画面表示、ユーザーによる操作入力、及び操作入力に応じて予約項目を生成し、録画予約のデータの１項目として登録する処理を実行する機能である。
なお予約設定機能６１においては、例えばユーザーの視聴番組の履歴やユーザーが入力した番組ジャンルなどに応じて、自動的に録画予約を設定する機能を有するようにしても良い。
【００２９】
予約設定記憶機能６３は、予約設定機能により登録された予約項目を記憶する機能である。
実行履歴記憶機能６４は、予約録画が実際に実行された場合の状況を示す履歴項目を記憶する機能である。
これら予約設定記憶機能６３及び実行履歴記憶機能６４としての実際の記憶領域は例えばメモリ部１５内の不揮発性メモリなどにおいて確保される。コントローラ１０は不揮発性メモリにおける所定領域を、当該予約設定記憶機能６３，実行履歴記憶機能６４の実現のために利用する。
リスト制御機能６２は、予約設定記憶機能６３として記憶される予約項目のリスト管理、及び実行履歴記憶機能６４として記憶される履歴項目のリスト管理を行う機能である。
即ち予約設定機能６１により登録される予約項目を実際に予約設定記憶機能６３に追加したり、予約録画の実行のための読出や録画実行に際しての予約登録からの削除等を行う。さらには予約録画の実行状況に応じて履歴項目を生成して実行履歴記憶機能６４に登録したり、履歴項目の読出、さらには消去や並び替え等の編集を行う。
【００３０】
実行制御機能６５は、予約項目や履歴項目に基づく動作を実行させる制御機能である。例えば予約設定記憶機能６３に登録された予約項目の実行時刻において、録画予約にかかる録画を実行させる制御、即ち受信制御、ストリーム制御、記録制御を行う。またツール処理機能からの指示に応じて所定の記録部から録画されたデータの再生を指示する制御も行う。
ツール処理機能６６は、ユーザーの操作入力に応じて、実行履歴情報に関する編集や、実行履歴情報に基づく再生を可能とする機能である。
表示制御機能６７は、ＯＳＤ２７を制御して表示部２０に予約設定画面、予約一覧、実行履歴一覧、ツール処理画面等の画面表示を実行させる機能である。
【００３１】
これら図２の各機能（ソフトウエアモジュール）が相互に関連動作することで、以下説明していく本例の各動作が実現される。
【００３２】
２．予約設定時の録画機器指定
本例の放送受信機１では、複数の記録部のうちで１つを選択して、受信した放送コンテンツを録画させることができる。図１の構成例の場合、記録部としては、メモリカード４に対する記録部（記録再生エンコード／デコード２２及びメモリカードアクセス部２３）と、録画機器５と、録画機器６の３つの例を示した。
このように複数の記録部を選択できる場合、ユーザーは予約録画設定時に、録画を実行させる記録部を選択するものとなる。
ユーザーによる予約録画の設定操作自体については、従前機器において各種実施されている例に倣えばよく、説明は避けるが、ここでは予約録画登録操作の際の、ＧＵＩを用いた録画機器の指定のための操作例を説明しておく。
【００３３】
図３（ａ）は予約設定画面の一例を示している。例えばユーザーが予約録画設定の操作を行うと、予約設定機能６１及び表示制御機能６７によって、ＥＰＧデータに基づく放送番組の一覧表示が表示部２０において実行される。そしてユーザーが或る番組を指定して録画予約を求める操作を行うと、その番組についての予約設定画面が図３（ａ）のように表示されるものとなる。
この図３（ａ）の予約設定画面上では、録画予約の対象となる番組についてのタイトル、放送日時、チャンネル、その他の各種情報がＥＰＧデータに基づいて表示され、ユーザーはこれを確認して「予約する」の決定操作を行うことで予約登録が実行される。
ただし、本例の場合、記録部を選択する操作も実行できるようにされている。図の例では「録画機器」として「ＡＶマウス」が例えばデフォルトで選択されている状態を示している。なお「ＡＶマウス」とは、コマンド送信器６によって制御可能な機器を示す意味であり、図１における録画機器６が選択されている状態を示すものとなる。
ユーザーは所定の操作によって、図３（ｂ）のように画面上のフォーカス（又はカーソル等）を移動させ、さらに決定操作を行うと、図３（ｃ）のように記録部を選択する状態（録画機器指定モード）とすることができる。
その状態で移動操作を行うと、図３（ｄ）のように「録画機器」の内容が切り換えられていく。例えば図３（ｄ）は「録画機器」が「ＨＤＲ」とされている。
「ＨＤＲ」はＨＤＤレコーダを示しており、例えばインターフェース２１で接続された録画機器５がＨＤＤレコーダである場合は、図のように「ＨＤＲ」が選択できる状態とされる。つまり図１の構成の場合、録画機器６を示す「ＡＶマウス」、録画機器５を示す「ＨＤＲ」、及びメモリカード４の記録部を示す「メモリカード」等の文字で記録部を選択できるものとなる。
もちろん提示される記録部の名称は、「ＨＤＲ」「ＡＶマウス」等ではなく、他の文字が選定されても良いし、ユーザーが接続機器に応じて任意に名称を付すなどのカスタマイズができるようにしてもよい。或いは図形を用いても良い。
【００３４】
図３（ｄ）のように「ＨＤＲ」が選択された状態でユーザーが決定操作を行うと、図３（ｅ）のように録画機器としてＨＤＤレコーダ、つまり図１の録画機器５が選択された状態に確定する。その後ユーザーが画面上のフォーカス（又はカーソル）を「予約する」に移行させて決定操作を行えば、録画機器５を指定しての当該番組の録画予約の登録が実行されるものとなる。
つまり予約設定機能６１は、録画機器５を用いて録画する録画予約として、当該番組の予約項目を生成し、予約設定記憶機能６３に登録させることになる。
【００３５】
例えばこのように、ユーザーは録画予約の操作の際に、録画させる記録部を選択できる。また登録される予約項目としては、録画させる記録部（録画機器）の情報が含まれるものとなる。
【００３６】
３．予約項目の実行時の処理
コントローラ１０では、上記予約設定機能６１の処理により予約設定記憶機能６３において登録された各予約項目について、リスト制御機能６２がその録画実行時刻と現在時刻とを照合しながら監視している。そして予約録画の実行時刻となった際には、実行制御機能６５により実際の録画動作が実行制御される。
コントローラ１０（主にリスト制御機能６２及び実行制御機能６５）によって予約録画の実行の際の処理を図４で説明する。
【００３７】
ステップＦ１０１は登録された予約項目についての予約録画実行時刻の３０秒前を監視する処理である。登録された或る予約項目が、その録画開始時刻の３０秒前となったら、コントローラ１０の処理はステップＦ１０１からＦ１０２に進む。
ステップＦ１０２では、コントローラ１０は当該放送受信機１自身の電源状態を確認し、電源オフであればステップＦ１０３で放送受信機１を電源オンとする制御を行う。
続いてステップＦ１０４では、録画を実行する記録部の電源状態を確認する。上述のように登録された各予約項目については、録画を実行する機器が指定されている。従って、ステップＦ１０４では今回予約実行時間となった予約項目において指定されている記録部の電源状態を確認することになる。もし、指定された記録部が、放送受信機１に内蔵される記録部、即ち図１の例でいえばメモリカード４に対する記録部（記録再生エンコード／デコード部２２及びメモリカードアクセス部２３）であった場合は、放送受信機１の電源オンにより、記録部も電源オンとなっているため問題ない。
指定された記録部が外部の録画機器であった場合は、その外部の録画機器の電源状態を判断する。そして電源オフであればステップＦ１０５で指定された録画機器の電源をオンとする制御を行う。
なお録画機器５の場合はインターフェース２１を介した通信により電源オンであるか否かを判断でき、オフであったなら、そのデータ通信により電源オンのコマンドを送信することになる。また録画機器６の場合は、例えば何らかの双方向通信機能、或いは接続端子状態検出機能などを設けて、電源状態判断が可能とされるようにしても良いし、もし電源状態判断ができない場合は、電源オフ状態とみなしてステップＦ１０５でコマンド送信器６から電源オンのコマンドを送信するようにすればよい。
【００３８】
コントローラ１０は、ステップＦ１０６では指定された記録部が録画可能な状態にあるか否かを判断する。即ち、機器が適正に接続されているか、電源オン状態となったか、記録媒体が用意されているか、記録媒体の記録容量は残されているか、などの条件を判断することになる。
もしこのような条件が満たされていなければ、録画はできないため、エラーと判断してステップＦ１０７に進む。この場合、予約録画動作はキャンセルとなる。そしてコントローラ１０におけるリスト制御機能６２は、今回対象となっている予約項目を予約設定記憶機能６３における登録から削除する。また履歴項目を生成し、実行履歴記憶機能６４により実行履歴の１つとして登録させる。この場合、その履歴項目としての情報には録画キャンセルとしての情報が含まれるものとなる。またキャンセルの理由などの詳細情報も含まれるようにする。
【００３９】
コントローラ１０は、ステップＦ１０６でエラーでなければステップＦ１０８に進み、実行制御機能６５によりチューナ１１の選局制御を行う。即ち実行する予約項目でのチャンネルにチューナ１１を制御する。
ステップＦ１０９では、放送受信にかかるエラーを判断する。例えば適正に受信できているか、或いは受信される放送コンテンツにコピーガードなどが施されている場合、適正な受信権限を有しているかなどを判別する。これらの点で録画が可能な状態ではないと判断した場合は、エラーとしてステップＦ１１０に進む。この場合も予約録画動作はキャンセルとなる。そしてコントローラ１０におけるリスト制御機能６２は、今回対象となっている予約項目を予約設定記憶機能６３における登録から削除する。また履歴項目を生成し、実行履歴記憶機能６４により実行履歴の１つとして登録させる。この場合、その履歴項目の情報には録画キャンセルとしての情報、及びキャンセルの理由などの詳細情報も含まれる。
【００４０】
エラーではない場合は、コントローラ１０の処理はステップＦ１１１に進み、予約録画の開始時刻を待機する。
そして開始時刻となったらステップＦ１１２に進み、実際の録画動作を開始させる。即ち実行制御機能６５により録画を行う指定された記録部に対するコマンドが送信され、予約項目に対応する録画動作が開始される。
【００４１】
録画実行中は、ステップＦ１１３でエラーの発生を監視する。例えば録画中の記録部において何らかの原因により電源がオフとなってしまったり、記録媒体の容量が足りなくなったり、或いは受信障害等の理由で録画が継続できなくなる状態を監視する。
もしこれらの原因によるエラーが生じた場合は、ステップＦ１１４に進み、予約録画動
作をキャンセルとする。
この場合もリスト制御機能６２は、今回対象となっている予約項目を予約設定記憶機能６３における登録から削除する。またキャンセルの情報及びその詳細情報を含む履歴項目を生成し、実行履歴記憶機能６４により実行履歴の１つとして登録させる。
なお、ステップＦ１１３でエラーとされる場合は、途中までは録画がなされている状況が考えられる。このため、エラーとなるまでの録画を有効とし、実行履歴に登録する履歴項目としては、キャンセルではなく後欠け（つまり途中までは適正に録画できた）という情報を付加して登録するようにしてもよい。
【００４２】
ステップＦ１１５では予約録画の終了時刻を監視している。録画中に上記のようなエラーが無く、終了時刻まで録画が実行された場合は、ステップＦ１１５からＦ１１６に進み、録画実行中の記録部に対して録画を終了させる制御を行う。
そしてこの場合は予約録画が適正に完了したことになり、ステップＦ１１７で、適正な予約録画動作が実行されたことを示す履歴項目を生成するものとなる。
即ちリスト制御機能６２は、今回対象となった予約項目を予約設定記憶機能６３における登録から削除するとともに、正常な録画実行がなされたことの情報を含む履歴項目を生成し、実行履歴記憶機能６４により実行履歴の１つとして登録させる。
【００４３】
なお、ステップＦ１１５、又は上記ステップＦ１０７，Ｆ１１０，Ｆ１１４において履歴項目が登録されることになるが、履歴項目に含まれる内容としての番組タイトル、時間帯、チャンネルその他の情報は、予約項目の情報を承継すればよい。つまり、履歴項目は、予約項目の内容に、その実行結果の情報を付加して生成される。
【００４４】
上記ステップＦ１０７，Ｆ１１０，Ｆ１１４でキャンセル終了された後、或いはステップＦ１１７で正常終了された後は、ステップＦ１１８以降で機器の電源制御を行う。
まずステップＦ１１８、Ｆ１１９では、記録部の電源状態を予約録画実行前の状態に戻す処理が行われる。即ち予約録画開始前の時点での記録部（録画機器）の電源状態がオフであった場合は、ステップＦ１１９で、その記録部（録画機器５又は６）の電源をオフとする制御を行う。
またステップＦ１２０，Ｆ１２１では、放送受信機１自体の電源状態を予約録画実行前の状態に戻す処理が行われる。即ち予約録画開始前の時点での電源状態がオフであった場合は、ステップＦ１２１で、放送受信機１自体の電源をオフとする制御を行う。
以上の処理により、１つの予約項目に応じた録画動作が終了される。
【００４５】
４．実行履歴の一覧表示
ここまでの説明から理解されるように、まずユーザーが予約録画登録操作を行うことで、或る番組についての予約項目が登録される。
また、或る予約項目に基づいて録画が実行される際には、その実行状況を反映した内容の履歴項目が生成され、登録される。
本例では、ユーザーは任意に、予約登録された予約項目の一覧をみることができ、また実行履歴の一覧も見ることができる。
【００４６】
なお、録画予約に関しては、ユーザーの操作入力によるものだけでなく、コントローラ１０がＥＰＧデータやユーザーの嗜好に応じて自動的に予約項目を生成し、登録する場合もある。
また予約動作としては、ここまで録画予約のみについて述べてきたが、視聴予約という動作も可能とされる。視聴予約とは、予約された時刻において、その予約された番組を視聴する（表示部２０で表示させる）ための予約動作であり、録画を伴わない。そのような視聴予約としての予約項目も、録画予約の予約項目と同様に、例えばユーザーの操作などに応じて登録される。また、視聴予約の実行に応じた履歴項目が生成されるようにしてもよい。
以下、予約項目の一覧表示及び履歴項目の一覧表示の例を説明するが、ここでは視聴予約に関する項目も含む例としている。但し、もちろん録画に関する項目のみの一覧表示を行うようにしてもよい。
【００４７】
ユーザーは任意の時点で所定の操作を行うことで、予約設定された予約項目一覧、或いは実行履歴の一覧の表示を求めることができる。ユーザーがリモートコマンダー３を操作して一覧表示を求めた場合、コントローラ１０は、表示制御機能６７により、例えば図５のような予約一覧を表示部２０において実行させる。
図５の表示例では、予約設定一覧の画面と、実行履歴一覧の画面がタブにより選択される形式としており、図５はタブ４１が選択されて予約設定一覧が表示されている状態である。ユーザーがタブ４２を選択する操作を行うと、図６のように実行履歴一覧が表示される状態となる。
【００４８】
図５に示すように予約一覧の画面では、各予約項目がリスト表示される。ここででは各予約項目について、録画状況表示部４３、日付表示部４４、内容表示部４５が設けられたリスト表示例としている。
日付表示部４４には、予約登録された番組が放送される日付が表示される。
内容表示部４５には、予約登録の内容として、チャンネル、番組タイトル、有料放送の場合の金額、録画予約か視聴予約かの別を示す情報（［録画］［視聴］）、放送時間帯（開始時刻〜終了時刻）、録画予約の場合において指定された記録部の表示（「ＨＤＲ」「ＡＶマウス」等）などが表示される。
録画状況表示部４３は、録画の実行結果のアイコンを示す表示部であり、その意味では予約一覧画面で表示されなくてもよいが、録画実行前において或る程度予測できる場合があり、ここではそれが表示される。録画実行結果のアイコンとしては、例えば図８のように正常録画、頭欠けあり、後欠けあり、頭欠け及び後欠けあり、録画失敗、キャンセルなどについてが所定の図形で設定されている。
例えば図５の予約項目を見ると、９／２７の２つの番組「ニュース８」「世界の料理」の予約項目の時間帯が一部重複しており、このため「世界の料理」は前半が録画できない状況が予想される。このため「ニュース８」の予約項目では正常録画のアイコンが表示され、「世界の料理」の予約項目では頭欠けありのアイコンが表示されている。
【００４９】
このような予約一覧表示は、リスト制御機能６２が予約設定記憶機能６３に登録された予約項目を抽出し、表示制御機能６７が各予約項目の内容に基づいて表示制御することで実行される。
ユーザーはこのような予約一覧表示を確認することで、今後録画が行われる番組や日時等を確認することができる。また、上記のように時間帯が重複すること等を知ることができ、一方の予約をキャンセルするなど、対応をとることもできる。
【００５０】
本実施の形態においては、予約一覧表示だけでなく、図６のように予約された動作の実行履歴一覧を行うことに特徴を有する。
上述のように、ユーザーが画面上のタブ４２を選択する操作を行うと、図６のように実行履歴一覧が表示される。この実行履歴一覧の表示は、リスト制御機能６２が実行履歴記憶機能６４に登録された履歴項目を抽出し、表示制御機能６７が各履歴項目の内容に基づいて表示制御することで実行される。
【００５１】
図６に示すように実行履歴一覧の画面では、各履歴項目がリスト表示される。ここでは各履歴項目について、録画状況表示部４６、日付表示部４７、内容表示部４８が設けられたリスト表示例としている。
日付表示部４７には、登録された録画予約又は視聴予約にかかる動作（録画又は視聴）が実行された日付が表示される。
内容表示部４８には、実行履歴の内容として、チャンネル、番組タイトル、有料放送の場合の金額、録画予約か視聴予約かの別を示す情報（［録画］［視聴］）、放送時間帯（開始時刻〜終了時刻）、録画の場合において指定されていた記録部の表示（「ＨＤＲ」「ＡＶマウス」「メモリカード」等）などが表示される。
録画状況表示部４６には、録画の実行結果がアイコンにより示される。即ち実際に予約録画に応じて上記図４のような処理が実行された際の、その結果に応じて、正常録画、キャンセル、録画失敗、頭欠けあり・・等の状況が、図８に示すアイコンによって示される。上記図５の予約設定一覧画面上では、録画状況表示部４３で予測される録画状況が同様のアイコンで表示されたが、この実行履歴一覧の画面における録画状況表示部４６では、実際の動作結果がアイコンで表示されるものである。
なお、ここでは図形アイコンで表示する例としているが、録画状況を文字で表示する例も考えられる。
【００５２】
このような実行履歴一覧の表示が行われることで、ユーザーは、録画予約した番組が適正に録画されたか否かを簡単に知ることができる。
また録画状況表示部４６におけるアイコン表示により、録画の状況をより細かく知ることができる。即ち、ただ単に正常終了又は録画失敗というだけでなく、頭欠け等で一部が録画できている状態などを一目で知ることができる。
なお例えば図６では、５つの履歴項目がリスト表示されているが、他にも履歴項目があれば、画面上でのスクロールまたはページ送りなどの手法で表示させる。
つまりユーザーは全ての履歴項目をリスト的に容易にみることができるため、登録されている全ての履歴項目の内容を容易に確認でき、例えば特定の番組の録画状況（録画結果）を、実際に再生等を行わせずに知ることができる。
さらにリスト上の内容表示部４８には、記録動作を行った記録部を示す表示も行われている。本例のように複数の記録部を選択して録画させることのできる機器の場合、ユーザーは、或る番組をどの記録部において録画させたかを忘れてしまうことが多いと想定される。特に予約録画を大量に行うユーザにとっては、各番組について記録部を把握していることは困難である。ところがリスト上で、記録部が「ＨＤＲ」「メモリカード」等で表示されていることで、ユーザは各番組について、どこに録画したか、ということも確認できるものとなる。
つまり図６のような実行履歴一覧表示により、ユーザーは予約された各番組について、その録画実行結果や録画を行った機器を容易に確認できる。
【００５３】
また、この実行履歴一覧からは、より詳細な情報を表示させる画面に進むことができる。
例えばユーザーが、実行履歴一覧表示上で、図７のようにカーソルＫ（或いはハイライト表示など）で履歴項目を選択し、決定操作を行うと、コントローラ１０は、その選択された履歴項目に対応する詳細情報の表示を行うようにしている。図９に詳細情報表示の例を示している。
例えば図６の実行履歴一覧上では「イタリアンビューティー」という番組の履歴項目において、録画状況表示部４６にキャンセルを意味するアイコンが表示されている。ユーザーが何故キャンセルとなったか詳細を知りたいような場合、図７のように「イタリアンビューティー」の履歴項目を選択して決定操作を行うと、図９（ａ）のように詳細情報の画面が表示される。
この詳細情報の画面では、図示するように、履歴項目の内容と共に、予約録画が正常にできなかった理由などが表示される。
なお、予約録画が正常に実行された場合の詳細情報の表示例は図９（ｂ）のようになる。この場合、当然ながら録画失敗の理由などはなく、予約が正常に行われた旨が表示される。
【００５４】
このようにリスト上の履歴項目を選択することで詳細情報が表示されるため、ユーザーは実行履歴にかかる詳細な事由を確認できる。
なお、詳細情報は録画の失敗やキャンセルの原因だけでなく、例えば録画において頭欠けや後かけが生じた場合の、詳細な録画時間（例えば録画できた時間）など、他の情報を表示して良いことは言うまでもない。即ち上記図４のステップＦ１０７，Ｆ１１０，Ｆ１１４又はＦ１１７で履歴項目を生成する際に付加できる情報であれば、どのような情報を表示させてもよいものである。
また、上記図４では説明していないが、例えば或る記録部での録画動作が不能であった場合に、他の記録部に代替的に録画を行うような処理も考えられる。特にＨＤＤレコーダ等の大容量の記録部が存在する場合は、メモリカード４等において容量的に不足したり、或いはメモリカード４が装着されていなかったなどの原因で録画動作がエラーとなる場合は、ＨＤＤレコーダ（例えば録画機器５）に代替録画させるというような処理手法も考えられる。そのような動作を行った場合は、上記詳細情報として、代替録画に関する情報を提示することも好適である。
【００５５】
ところで、図６，図７の実行履歴一覧の画面では、再生／編集ツール表示４９を行うようにしている。これはユーザーが実行履歴一覧の履歴項目を任意に編集したり、或いは履歴項目を指定して再生を指示するような操作に用いられる。即ちユーザーは画面上で再生／編集ツールの表示４９を選択して決定操作すると、コントローラ１０においてツール処理が起動され、編集や再生の制御が行われる。
なお、ここでは表示画面上で再生／編集ツール表示４９を行うようにしているが、このような表示を行わず、例えばリモートコマンダー３において再生／編集ツールのための操作キーを備え、コントローラ１０はその操作入力においてツール処理を起動させるようにしても良い。
ツール処理としては、例えば一覧表示される履歴項目の全てを削除したり、或いはユーザーが選択する履歴項目を削除したり、或いはユーザーが選択する履歴項目について再生を実行させる処理が行われる。ツール処理例については図１１で述べる。
【００５６】
以上の実行履歴表示にかかるコントローラ１０、即ち図２の各機能により実行される処理例を図１０，図１１で説明する。
図１０は、ユーザーの操作によって実行履歴表示が求められた場合以降の処理を示している。
上記のように例えばユーザーが画面上でタブ４２を選択する操作を行うことが、実行履歴表示を求める操作となる。この操作に応じてはコントローラ１０の処理はステップＦ２０１からＦ２０２に進み、図６のように実行履歴一覧の表示制御を行う。
なお実行履歴一覧の表示の際には、ユーザーのスクロール又はページ送り操作に応じて、表示される履歴項目をスクロール或いはページめくりさせていく。
ステップＦ２０３では表示終了操作を監視しており、ユーザーが実行履歴一覧表示を終了させる操作を行ったら、ステップＦ２０９で実行履歴一覧表示を終了させる。例えばタブ４１を選択して予約設定一覧表示に進む場合や、或いはリモートコマンダー３において表示終了操作や上位メニュー表示へ戻る操作などが行われた場合が、これに相当する。
【００５７】
ユーザーが実行履歴一覧表示上において履歴項目を選択し、決定操作を行った場合は、コントローラ１０の処理はステップＦ２０５に進み、上記図９のように、選択された履歴項目についての詳細情報通知画面の表示を実行させる。
コントローラ１０は、この詳細情報の通知画面の表示については、ステップＦ２０６で、ユーザーによる画面終了操作（図９における「了解」「戻る」の選択決定操作）が検出されることに応じて終了させ、ステップＦ２０２に戻って、画面表示を実行履歴一覧表示の状態に戻す。
【００５８】
実行履歴一覧の表示状態においてユーザーがツール操作を行った場合は、ステップＦ２０７からＦ２０８に進み、ツール処理（図２のツール処理機能６６）を起動する。
コントローラ１０においてツール処理機能６６により実行されるツール処理は図１１のようになる。
まずコントローラ１０は、ステップＦ３０１としてツールメニュー表示を実行させる。例えばツール処理機能６６が実行可能な機能を表示制御機能６７によりメニュー表示する。この図１１の処理例では、ツール処理として、全件削除、項目削除、再生の３つの機能を備えるものとしているが、その場合、この３つの機能の実行をメニュー画面で選択できるようにする。
ステップＦ３０２はツール終了操作の監視を示しており、ツール処理の終了をユーザー操作により指示された場合は、ステップＦ２０２でツール機能を終了させ、コントローラ１０の処理は図１０のステップＦ２０２（実行履歴一覧表示）に戻る。
【００５９】
ツールメニュー表示上で全件削除が選択された場合は、ステップＦ３０３からＦ３０６に進み、まずコントローラ１０は全件削除を確認する画面（メッセージ等）を表示させ、ユーザーの確認を求める。これに対してユーザーが削除ＯＫを選択しなければステップＦ３０１に戻る。ユーザが削除ＯＫの操作を行った場合はステップＦ３０７からＦ３０８に進み、実行履歴の全ての履歴項目を削除する処理を行う。即ちツール処理機能６６はリスト制御機能６２に全件削除の要求を発生させ、リスト制御機能６２はそれに応じて実行履歴記憶機能６４に記憶されている全ての履歴項目を削除する。
ステップＦ３０８で全件削除処理を終えたら、ツール処理を終了して図１０のステップＦ２０２に戻る。なお、この場合履歴項目は全件削除されたため、ステップＦ２０２に戻っての実行履歴一覧では、履歴項目は全く表示されないことになる。またこれよってユーザーは全件削除が行われたことが確認できる。
【００６０】
ツールメニュー表示上で項目削除が選択された場合は、処理はステップＦ３０４からＦ３０９に進み、コントローラ１０は削除する履歴項目の選択をユーザーに求めるための表示を行う。例えば図７のように実行履歴一覧表示上でカーソルＫ等により履歴項目を選択できる状態とする。
これに対してユーザがキャンセル操作を行った場合はステップＦ３１０からＦ３０１に戻る。またユーザーが或る履歴項目を選択して決定する操作を行った場合は、ステップＦ３１１からＦ３１２に進み、当該選択された履歴項目を削除する。即ちツール処理機能６６はリスト制御機能６２に、選択された履歴項目の削除の要求を発生させ、リスト制御機能６２はそれに応じて実行履歴記憶機能６４に記憶されている履歴項目の中で、選択された履歴項目のみを削除する。ステップＦ３１２で選択された履歴項目の削除処理を終えたらステップＦ３０１に戻る。
なお、ステップＦ３１１で選択決定操作が行われた場合には、削除しても良いか否かの確認をユーザに求める処理を行い、ユーザーが削除ＯＫ操作を行った場合にステップＦ３１２に進むようにしてもよい。
また、ステップＦ３１２で選択された履歴項目の削除を行ったら、ステップＦ３０１に戻らず、ツール処理を終了させて図１０のステップＦ２０２に戻るようにしてもよい。もちろんその場合、ステップＦ２０２での実行履歴一覧では、削除された履歴項目を除く履歴項目が一覧表示される。
【００６１】
ツールメニュー表示上で再生が選択された場合は、処理はステップＦ３０５からＦ３１３に進み、コントローラ１０は再生する履歴項目の選択をユーザーに求めるための表示を行う。例えば図７のように実行履歴一覧表示上でカーソルＫ等により履歴項目を選択できる状態とする。
これに対してユーザがキャンセル操作を行った場合はステップＦ３１４からＦ３０１に戻る。またユーザーが或る履歴項目を選択して決定する操作を行った場合は、ステップＦ３１５からＦ３１６に進み、当該選択された履歴項目に対応する再生処理を実行する。
即ち選択された履歴項目に示される記録部に対して再生のコマンドを送信し、またストリーム処理部１４の映像データ入力経路を制御して、表示部２０で再生映像が表示されるようにする。
なお、実際には、このような再生制御を行うためには、履歴項目においては記録部の情報だけでなく、記録媒体の識別子や、その記録媒体内での当該番組の映像が録画されているアドレス又はファイル名称等の情報も含むようにすることが適切である。
また、ステップＦ３１６で再生制御を行っても、実際に記録媒体が装着されていなかったり、外部機器の接続がはずされているなどの事情で再生不能の場合もある。そのような事情で再生できない場合は、エラーメッセージ等を表示してステップＦ３０１に戻る等の処理を行うことが適切である。
【００６２】
例えばこの図１１のようにツール処理が行われることで、ユーザーは実行履歴一覧において確認を終えた履歴項目や確認不要な履歴項目を削除したり、或いは実行履歴一覧から番組を選んで再生させるなどの操作が可能となる。
履歴項目の削除編集は、例えば履歴項目が大量となって実行履歴一覧が確認しずらくなった場合などに便利である。特に全件削除は、そのような場合に好適である。
なお、図１１の例ではツール処理として全件削除、項目削除、再生の３つの機能を説明したが、例えば全件削除のみ、或いは項目削除のみなどとしてツール機能を設定しても良い。なお、ツール機能を例えば全件削除のみなどとする場合、ステップＦ３０１でのメニュー表示は不要である。
もちろんさらに編集機能として、一覧表示上での履歴項目の並び替え（ソート）、履歴項目の抽出（例えば特定ジャンルの番組の履歴項目のみを抽出して表示させるなど）等の編集処理が実行できるようにしてもよい。
また、上記例ではツール処理として全件削除、項目削除、再生を実行できるものとしたが、全件削除やソートなどの履歴項目全体に対して実行する処理と、項目削除や再生などの選択された履歴項目に対する処理を分けるようにしても良い。例えばツール処理とサブメニュー処理で分けるようにし、ツール処理では全件削除処理に進むことができるようにする一方、項目削除や再生など、選択された履歴項目に関する処理については、サブメニューから該当処理に進むようにするなどである。もちろん、ここでいうツール処理とサブメニュー処理が、ユーザーインターフェース上で並列的な処理階層とされても良いし、例えばツールからサブメニューに進むことができるようにしてもよい。
【００６３】
５．変形例
以上、実施の形態について説明してきたが、本発明の変形例、応用例は多様に考えられる。
放送受信機１の構成や機能ブロックとしては図１，図２で説明したものに限られるものではない。放送受信機１としては、ケーブルテレビジョン放送その他の各種放送に対応するチューナを搭載したり、複数のチューナを搭載することも考えられ、さらには外部装置としてのチューナを利用する構成も考えられる。また記録部としてメモリカード４に対する記録部を内蔵とするものとしたが、他にＨＤＤや光ディスクを記録媒体とする記録部を内蔵しても良いし、記録部を全く内蔵しない構成（外部の録画機器を接続するのみの構成）としてもよい。
また、履歴一覧表示については予約設定一覧とタブで選択されることで表示されるようにしたが、そのような操作方式に限られないことは言うまでもない。
また一覧表示上で提示する各履歴項目の内容については、図６に示した例に限られない。
また、ツール機能は実行履歴一覧の画面から起動できるものとしたが、例えば、図９のような詳細情報の表示画面上でツール機能の操作を可能とし、その選択中の履歴項目についての削除や再生等が実行できるようにしてもよい。
【００６４】
また実施の形態では放送コンテンツを録画するための制御を行う放送受信機としたが、オーディオ放送を録音するための制御を行う装置としても本発明は適用できる。即ち各種放送コンテンツを記録するための置として多様な実現態様が想定可能である。
【図面の簡単な説明】
【００６５】
【図１】本発明の実施の形態の放送受信機の構成のブロック図である。
【図２】実施の形態の放送受信機のコントローラの機能ブロックの説明図である。
【図３】実施の形態の予約設定時の録画機器指定の説明図である。
【図４】実施の形態の録画予約の実行処理のフローチャートである。
【図５】実施の形態の予約設定一覧表示の説明図である。
【図６】実施の形態の実行履歴一覧表示の説明図である。
【図７】実施の形態の実行履歴一覧表示上での履歴項目選択状態の説明図である。
【図８】実施の形態の一覧表示上での録画状況を示すアイコンの説明図である。
【図９】実施の形態の実行履歴一覧表示から導かれる詳細情報表示の説明図である。
【図１０】実施の形態の実行履歴表示処理のフローチャートである。
【図１１】実施の形態の実行履歴表示に関するツール処理のフローチャートである。
【符号の説明】
【００６６】
１  放送受信機、２  アンテナ、３  リモートコマンダー、４  メモリカード、５，６  録画機器、７  コマンド送信器、１０  コントローラ、１１  チューナ、１２  デスクランブラ、１４  ストリーム処理部、１５  メモリ部、１８  ＮＴＳＣエンコーダ、１９  表示ドライブ部、２０  表示部、２１  インターフェース、２２  記録再生エンコード／デコード部、２３  メモリカードアクセス部、６１  予約設定機能、６２  リスト制御機能、６３  予約設定記憶機能、６４  実行履歴記憶機能、６５  実行制御機能、６６  ツール処理機能、６７  表示制御機能
【図１】
2005117448.tif 000003
【図２】
2005117448.tif 000004
【図３】
2005117448.tif 000005
【図４】
2005117448.tif 000006
【図５】
2005117448.tif 000007
【図６】
2005117448.tif 000008
【図７】
2005117448.tif 000009
【図８】
2005117448.tif 000010
【図９】
2005117448.tif 000011
【図１０】
2005117448.tif 000012
【図１１】
2005117448.tif 000013